【事件の表示】
　特願２０１５−　２４６０２「メニュー操作方法及びこれを行うタッチ入力装置を含むメニュー操作装置」拒絶査定不服審判事件〔平成２７年１０月２２日出願公開、特開２０１５−１８５１６１、請求項の数（２２）〕について、次のとおり審決する。
【結　論】
　原査定を取り消す。
　本願の発明は、特許すべきものとする。
【理　由】
第１　手続の経緯
　本願は、２０１５年２月１０日（パリ条約による優先権主張２０１４年３月２６日、韓国、２０１４年３月２４日、韓国、２０１４年５月９日、韓国、２０１４年８月１日、韓国、２０１４年９月１９日、韓国、２０１４年１０月２４日、韓国、２０１４年１２月２２日、韓国）の出願であって、平成２８年２月１５日付けで拒絶理由通知がされ、平成２８年５月２３日付けで手続補正がされ、平成２８年８月４日付けで拒絶査定（原査定）がされ、これに対し、平成２８年１２月８日に拒絶査定不服審判の請求がされると同時に手続補正がされ、平成２９年６月２２日付けで当審からの拒絶理由通知（以下、「当審拒絶理由通知」という。）がされ、平成２９年９月２０日付けで手続補正がされたものである。
第２　原査定の概要
　原査定（平成２８年８月４日付け拒絶査定）の概要は次のとおりである。
　本願請求項１−２４に係る発明は、以下の引用文献Ａ−Ｄに基づいて、その発明の属する技術の分野における通常の知識を有する者（以下、「当業者」という。）が容易に発明をすることができたものであるから、特許法第２９条第２項の規定により特許を受けることができない。
引用文献等一覧
　Ａ．特開２０１３−１０５４１０号公報
　Ｂ．特開２０１３−２０３７０号公報
　Ｃ．特表２００９−５３４７５７号公報
　Ｄ．特開２０１２−１７８０５０号公報
第３　当審拒絶理由の概要
　当審拒絶理由の概要は次のとおりである。
　本願請求項１−２２に係る発明は、引用文献１−５に基づいて、当業者が容易に発明をすることができたものであるから、特許法第２９条第２項の規定により特許を受けることができない。
引用文献等一覧
 １．特開２０１３−１０５４１０号公報 （拒絶査定時の引用文献Ａ）
 ２．特開２００９−１６３３６３号公報（当審において新たに引用した文献） 
 ３．特開２０１１−２５８０４３号公報（当審において新たに引用した文献） 
 ４．特開２０１２−０７３８７３号公報（当審において新たに引用した文献） 
 ５．国際公開第２０１２／１２８３６１号 （当審において新たに引用した文献） 
第４　本願発明
　本願請求項１−２２に係る発明（以下、それぞれ「本願発明１」−「本願発明２２」という。）は、平成２９年９月２０日付けの手続補正で補正された特許請求の範囲の請求項１−２２に記載された事項により特定される発明であり、本願発明１は以下のとおりの発明である。
「　　［請求項１］
　　タッチ位置感知モジュール、前記タッチ位置感知モジュールの下部に配置されたディスプレイモジュール、及び前記ディスプレイモジュールの下部であって前記ディスプレイモジュールの表示領域と垂直方向において重なる位置に配置され、静電容量を検出するための電極を備えたタッチ圧力感知モジュールを含むタッチ入力装置に対してなされた客体によるタッチ入力の圧力を前記タッチ圧力感知モジュールで検出し、前記タッチ入力の圧力が所定の圧力の大きさ以上でタッチされる条件を満たすのか判断する段階と、
　　前記タッチ入力が前記条件を満たす時、少なくとも一つのアイコンがディスプレイされたメニューが前記タッチ入力装置にディスプレイされる段階と、
　　前記客体による前記メニューの操作に基づいて前記タッチ入力装置の動作を制御する段階と、
　　を含み、
　　前記タッチ入力装置の動作を制御する段階は、
　　前記タッチ入力の圧力又は面積が増加あるいは減少されるように調節されれば、前記調節された圧力又は面積が属するレベルを決定する段階と、
　　前記少なくとも一つのアイコンのうち前記レベルに対応されるアイコンを選択する段階と、
　　前記入力されたタッチが解除されれば、前記選択されたアイコンに割り当てられた動作が実行される段階と、を含み、
　　前記タッチ入力が前記レベルに留まる時間が所定の時間より小さい場合、前記レベルに対応されるアイコンが選択されない、
　　メニュー操作方法。」
　本願発明２は、本願発明１の「タッチ位置感知モジュール、前記タッチ位置感知モジュールの下部に配置されたディスプレイモジュール」の構成を、「内部にタッチ位置感知モジュールが配置されたディスプレイモジュール」の構成に置換した発明である。
　本願発明３−１１は、本願発明１又は２を減縮した発明である。
　本願発明１２−１３は、本願発明１−２に対応する、カテゴリ表現が異なる「メニュー操作装置」の発明である。
　本願発明１４−２２は、本願発明１２又は１３を減縮した発明である。
第５　引用文献、引用発明等
１．引用文献１、引用発明について
　当審拒絶理由に引用した引用文献１には、図面とともに次の事項が記載されている（下線は、特に着目した箇所を示す。以下同様。）。 
（１）　段落［００１０］−［００１３］
「［００１０］
　図１は、本実施の形態のタッチパネル操作技術が適用されるタッチパネルの構成を示す図である。
［００１１］
　
タッチパネル１０は、液晶表示パネル（ＬＣＤ）１、カバーパネル２、圧力センサ３、圧力センサ制御部４、及び基盤部
を備え
［００１２］
　それぞれの圧力センサ３の上面位置は、液晶表示パネル（ＬＣＤ）１の上面位置よりも高くなるように設けられる。従って、カバーパネル２を指などでタッチすることによりカバーパネル２に押圧が作用した場合、基盤部（不図示）とカバーパネル２に狭圧される圧力センサ３からは押圧に対応する信号が出力される。そして、カバーパネル２上のタッチする座標によって、それぞれの圧力センサ３が受ける圧力が変化する。従って、それぞれの圧力センサ３からの圧力値を得ることによって、タッチされたカバーパネル２上の座標を求めることができる。
［００１３］
　なお、上述のタッチパネルの構成では、液晶表示パネル（ＬＣＤ）１と所定の間隙を隔ててカバーパネル２が配置されるよう液晶表示パネル（ＬＣＤ）１の上面位置よりも高くなるよう圧力センサ３が配置されているが、
液晶表示パネル（ＬＣＤ）１の下面四隅に圧力センサ３を配置し、かつ液晶表示パネル（ＬＣＤ）１上面にカバーパネル２を直接配置するよう構成し
（２）　段落［００２２］−［００３３］
「［００２２］
　図３は、本実施の形態の
タッチパネル操作方法
［００２３］
　図３に示すように、
ユーザがカバーパネル２を指でタッチして押圧すると、タッチした位置から離れた位置にフォースポインタが表示され
［００２４］
　図４は、本実施の形態におけるフォースポインタの機能を説明した図である。本実施の形態のフォースポインタでは、
４つの圧力センサ３の圧力検出値の分布からタッチされた座標が検出され、かつ４つの圧力センサ３の圧力検出値の合計値からフォースポインタの機能が決定され
［００２５］
　圧力値の最大値を１０００として、圧力値の範囲（０〜１０００）を複数の区間に分割する。図４では、
圧力値０〜４００までを１００毎の４つの区間（第１区間〜第４区間）とし、
［００２６］
　続いて、図４を参照しつつフォースポインタの動作を説明する。　
　ユーザがカバーパネル２にタッチすると、フォースポインタは第１階層の機能に従って動作する。
［００２７］
　
まず、圧力値が０〜１００までの第１区間には移動機能が割り付けられ
［００２８］
　
ユーザがフォースポインタを所望の位置まで移動し指の押圧を増加すると、フォースポインタには第２区間の機能であるドラッグ機能が付与され
［００２９］
　
ユーザが更に指の押圧を増加すると、フォースポインタには第３区間の機能が付与され
但し、
第３区間には機能が割り当てられて
［００３０］
　
ユーザが更に指の押圧を増加すると、フォースポインタには第４区間の機能であるショートカットメニュー機能が付与され
第４区間では、フォースポインタはリングで表されるブロックのみの構成に変化し、円形ブロックの周囲に複数のショートカットメニューが表示され
［００３１］
　
ここで、メニュー表示がなされるのは、押圧が第４区間に少なくともＮ秒間留まっている場合であ
第４区間内にＮ秒間留まらず、最小値を下回った場合／最大値を上回った場合は、メニュー表示を行わず、圧力値に応じた機能（区間）へ遷移
［００３２］
　メニュー表示がなされると、その表示状態は、たとえユーザが指をカバーパネル２から離してもＭ秒間継続する。また、
それぞれのショートカットメニューは、表示されたショートカットメニューアイコンを含む大きな領域である選択領域を備え
ーの選択が行われる。
所望のショートカットメニューの選択には、メニュー表示中にメニュー選択領域上まで指を移動させ、メニュー選択領域上で画面から指を離す、またはメニュー表示後、画面から一度指を離し、メニュー表示中に再度選択領域上をタッチする(タッチして指を離した時点で確定)方法の２種類があ
［００３３］
　以上説明した
第１区間〜第４区間までの機能は、押圧を圧力値０〜４００の間で変化させることによって各区間を相互に遷移させる（可逆的に）ことが可能である
（３）　段落［００４３］−［００４７］
「［００４３］
　図６は、本実施の形態におけるフォースポインタを用いて一連の操作を連続して行なう態様を示す図である。
［００４４］
　図６（１）は、テキストデータを表示したタッチパネル１０である。図６（２）は、ユーザがカバーパネル２にタッチして押圧し、第１階層の第２区間の機能を用いて、「桜木町カントリーゴルフクラブ」を選択した状態を示している。そして、ユーザがこの状態で更に押圧すると、図６（３）に示すショートカットメニューが表示される。図６（３）では、フォースポインタは矢印が表示された円で表されている。ユーザが上述の選択領域をタッチすることで所望のショートカットメニューを選択することができる。
［００４５］
　メニュー「コピー」を選択することで、文字列「桜木町カントリーゴルフクラブ」をコピーする。メニュー「ブラウザ」を選択することで、「桜木町カントリーゴルフクラブ」に対応するＵＲＬを指定してブラウザ画面を表示する。メニュー「メール」を選択することで、「桜木町カントリーゴルフクラブ」に対応するアドレスにメールを送信するためのメール画面を表示する。メニュー「地図」を選択することで、「桜木町カントリーゴルフクラブ」に対応する番地を指定して、当該番地を含む地図を表示する。
［００４６］
　図６に示すように、本実施の形態のタッチパネル操作方法によれば、文字選択、各種メニューを実行することが複数のタッチ操作を行なうことなく実現できる。なお、操作機能は、上述のブラウジングやメールに対する指示のみでなく、実装されるアプリケーション、ＯＳ（Operating System）に依存した操作機能とすることができる。
［００４７］
　図７は、本実施の形態のタッチパネル操作方法におけるメニュー表示態様を示す図である。図７（１）では、フォースポインタは矢印を記載した円の領域として表され、メニューは名称を記載した領域として表されている。図７（２）では、フォースポインタは円の領域として表され、メニューは図形を記載した領域として表されている。なお、メニュー表示はこの表示態様に限られるものではなく、フォースポインタを表す図形と、メニューを表す少なくとも一つの図形とを表すものであれば良い。」
　よって、上記各記載事項を関連図面と技術常識に照らし、下線部に着目すれば、引用文献１には次の発明（以下、「引用発明」という。）が記載されているといえる。
「タッチパネル１０は、液晶表示パネル（ＬＣＤ）１、カバーパネル２、圧力センサ３、圧力センサ制御部４、及び基盤部を備え、
　液晶表示パネル（ＬＣＤ）１の下面四隅に圧力センサ３を配置し、かつ液晶表示パネル（ＬＣＤ）１上面にカバーパネル２を直接配置するよう構成し、
タッチパネル操作方法において、
　ユーザがカバーパネル２を指でタッチして押圧すると、タッチした位置から離れた位置にフォースポインタが表示され、
　４つの圧力センサ３の圧力検出値の分布からタッチされた座標が検出され、かつ４つの圧力センサ３の圧力検出値の合計値からフォースポインタの機能が決定され、
　圧力値０〜４００までを１００毎の４つの区間（第１区間〜第４区間）とし、
　まず、圧力値が０〜１００までの第１区間には移動機能が割り付けられ、
　ユーザがフォースポインタを所望の位置まで移動し指の押圧を増加すると、フォースポインタには第２区間の機能であるドラッグ機能が付与され、
　ユーザが更に指の押圧を増加すると、フォースポインタには第３区間の機能が付与され、但し、第３区間には機能が割り当てられておらず、
　ユーザが更に指の押圧を増加すると、フォースポインタには第４区間の機能であるショートカットメニュー機能が付与され、第４区間では、フォースポインタはリングで表されるブロックのみの構成に変化し、円形ブロックの周囲に複数のショートカットメニューが表示され、
　ここで、メニュー表示がなされるのは、押圧が第４区間に少なくともＮ秒間留まっている場合であり、第４区間内にＮ秒間留まらず、最小値を下回った場合／最大値を上回った場合は、メニュー表示を行わず、圧力値に応じた機能（区間）へ遷移し、
　それぞれのショートカットメニューは、表示されたショートカットメニューアイコンを含む大きな領域である選択領域を備え、
　所望のショートカットメニューの選択には、メニュー表示中にメニュー選択領域上まで指を移動させ、メニュー選択領域上で画面から指を離す、またはメニュー表示後、画面から一度指を離し、メニュー表示中に再度選択領域上をタッチする(タッチして指を離した時点で確定)方法の２種類があり、
　第１区間〜第４区間までの機能は、押圧を圧力値０〜４００の間で変化させることによって各区間を相互に遷移させる（可逆的に）ことが可能である、
タッチパネル操作方法。」
２．引用文献２−５について
　当審拒絶理由に引用した引用文献２には、図１とともに、［要約］欄に、「…画像を表示する表示部３と、表示部３の表示面の上面に重ねて配置され、接触を検出するタッチパネル１と、表示部３の表示面の下面に重ねて配置された圧力センサー５と、…」と記載されるから、タッチパネル、表示部、タッチ圧力検出手段を所定の順序で設ける点は、本願優先日前において、公知技術であったといえる。
　当審拒絶理由に引用した引用文献３（特に、段落［００３８］、図７を参照。）、及び、引用文献４（特に、段落［００１８］−［００１９］、図２を参照。）の記載から、タッチ圧力感知モジュールを、タッチ入力装置の全面にわたって配置する点は、本願優先日前において、周知技術であったといえる。
　当審拒絶理由に引用した引用文献５には、段落［００１５］に「
タッチパネル２は
表示部２ａ
タッチセンサ２ｂ
押圧検出部２ｃとを所定の順序で重畳して構成される
利用者が指Ｆ１を接触させ続けた場合
操作時間に対応する動作をタッチパネル２に順次表示させていく
表示される各動作は、メニュー５５の選択項目の１つとなる
最後に表示された動作が選択状態となり
利用者が指Ｆ１をタッチパネル２から離すと、
その時点で選択状態となっている動作を実行し
なお、
入力操作の押圧
に連動して動作をタッチパネル２に順次表示させてもよい
第６　対比・判断
１．本願発明１について
（１）　対比
ア　引用発明の「液晶表示パネル（ＬＣＤ）１」、「圧力センサ３」、「（ユーザの）指」、「タッチパネル１０」は、それぞれ、本願発明１の「ディスプレイモジュール」、「タッチ圧力感知モジュール」、「客体」、「タッチ入力装置」に相当する。
　よって、引用発明の「タッチパネル１０は、液晶表示パネル（ＬＣＤ）１、…、圧力センサ３、…を備え、液晶表示パネル（ＬＣＤ）１の下面四隅に圧力センサ３を配置し、かつ液晶表示パネル（ＬＣＤ）１上面にカバーパネル２を直接配置するよう構成し」ていることは、本願発明１の「
タッチ位置感知モジュール
前記タッチ位置感知モジュールの下部に配置された
、静電容量を検出するための電極を備え
　また、引用発明の上記「タッチパネル１０」が、「４つの圧力センサ３の圧力検出値の分布からタッチされた座標が検出され、かつ４つの圧力センサ３の圧力検出値の合計値からフォースポインタの機能が決定され、圧力値０〜４００までを１００毎の４つの区間（第１区間〜第４区間）とし、……（中略）……ユーザが更に指の押圧を増加すると、フォースポインタには第４区間の機能であるショートカットメニュー機能が付与され」ることは、本願発明１の「タッチ入力装置に対してなされた客体によるタッチ入力の圧力を前記タッチ圧力感知モジュールで検出し、前記タッチ入力の圧力が所定の圧力の大きさ以上でタッチされる条件を満たすのか判断する段階」に相当するといえる。
イ　引用発明の「ショートカットメニュー」は、本願発明１の「メニュー」に相当する。
　よって、引用発明の「ユーザが更に指の押圧を増加すると、フォースポインタには第４区間の機能であるショートカットメニュー機能が付与され、第４区間では、フォースポインタはリングで表されるブロックのみの構成に変化し、円形ブロックの周囲に複数のショートカットメニューが表示され」、「それぞれのショートカットメニューは、表示されたショートカットメニュー
アイコン
ウ　引用発明の「所望のショートカットメニューの選択には、メニュー表示中にメニュー選択領域上まで指を移動させ、メニュー選択領域上で画面から指を離す、またはメニュー表示後、画面から一度指を離し、メニュー表示中に再度選択領域上をタッチする(タッチして指を離した時点で確定)方法の２種類があ」ることは、本願発明１の「前記客体による前記メニューの操作に基づいて前記タッチ入力装置の動作を制御する段階」に相当する。
エ　引用発明の「ショートカットメニュー機能」を含む「タッチパネル操作方法」は、本願発明１の「メニュー操作方法」に相当する。
　したがって、両者の一致点、相違点は以下のとおりであるといえる。
［一致点］
「　　ディスプレイモジュール、及び前記ディスプレイモジュールの下部であって前記ディスプレイモジュールの表示領域と垂直方向において重なる位置に配置され、タッチ圧力感知モジュールを含むタッチ入力装置に対してなされた客体によるタッチ入力の圧力を前記タッチ圧力感知モジュールで検出し、前記タッチ入力の圧力が所定の圧力の大きさ以上でタッチされる条件を満たすのか判断する段階と、
　　前記タッチ入力が前記条件を満たす時、少なくとも一つのアイコンがディスプレイされたメニューが前記タッチ入力装置にディスプレイされる段階と、
　　前記客体による前記メニューの操作に基づいて前記タッチ入力装置の動作を制御する段階と、
　　を含む、
　　メニュー操作方法。」
［相違点１］
　「タッチ入力装置」が、本願発明１では、「
タッチ位置感知モジュール、前記タッチ位置感知モジュールの下部に配置された
静電容量を検出するための電極を備えた
［相違点２］
 　「タッチ入力装置の動作を制御する段階」が、本願発明１では、「前記タッチ入力装置の動作を制御する段階は、前記タッチ入力の圧力又は面積が増加あるいは減少されるように調節されれば、前記調節された圧力又は面積が属するレベルを決定する段階と、前記少なくとも一つのアイコンのうち前記レベルに対応されるアイコンを選択する段階と、前記入力されたタッチが解除されれば、前記選択されたアイコンに割り当てられた動作が実行される段階と、を含み、前記タッチ入力が前記レベルに留まる時間が所定の時間より小さい場合、前記レベルに対応されるアイコンが選択されない」ものであるのに対して、引用発明では、「所望のショートカットメニューの選択には、メニュー表示中にメニュー選択領域上まで指を移動させ、メニュー選択領域上で画面から指を離す、またはメニュー表示後、画面から一度指を離し、メニュー表示中に再度選択領域上をタッチする(タッチして指を離した時点で確定)方法の２種類があ」るもの、すなわち、メニュー選択に、タッチの「位置」を利用するものであって、タッチの圧力や面積のレベルに応じてメニューを選択して、タッチ解除で動作を実行するとともに、レベルに留まる時間が所定時間より小さければ選択しないものではない点。
（２）　相違点についての判断
　事案に鑑みて、「タッチ入力装置の動作を制御する段階」に関する上記［相違点２］について先に検討する。
　引用発明では、上記のとおり、タッチの圧力の変化に応じて、「ショートカットメニュー機能」（第４区間）から、「移動機能」（第１区間）、「ドラッグ機能」（第２区間）など別の機能へと「相互に遷移させる」一方、メニュー選択には、タッチの「位置」を利用しているものであって、メニュー機能選択後のメニュー選択にも、タッチの圧力や面積のレベルを利用するように構成を変更するための起因ないし動機付けは認められない。
　「第４　引用文献、引用発明等」の「２．引用文献２−５について」に記載のとおり、引用文献２には、タッチパネル、表示部、タッチ圧力検出手段を所定の順序で設けるという技術的事項が記載され、引用文献３、４には、タッチ圧力感知モジュールを、タッチ入力装置の全面にわたって配置する周知技術が記載され、引用文献５には、ディスプレイモジュール、タッチ位置感知モジュール、タッチ圧力感知モジュールを「所定の順序で」重畳した「タッチ入力装置」の操作において、複数の選択項目からなるメニュー５５を表示して、利用者が指Ｆ１をタッチパネル２に接触させ続けた場合、「操作時間」に応じた動作を順次表示して、最後に表示された動作が選択状態となり、利用者が指Ｆ１をタッチパネル２から離すと、その時点で選択状態となっている動作を実行する技術的事項、さらに、上記技術的事項において、「操作時間」に応じた動作を順次表示することに替えて、「入力操作の押圧」に応じた動作を順次表示させるという技術的事項が記載されている。
　しかしながら、上記［相違点２］に係る本願発明の「前記タッチ入力装置の動作を制御する段階は、前記タッチ入力の圧力又は面積が増加あるいは減少されるように調節されれば、前記調節された圧力又は面積が属するレベルを決定する段階と、前記少なくとも一つのアイコンのうち前記レベルに対応されるアイコンを選択する段階と、前記入力されたタッチが解除されれば、前記選択されたアイコンに割り当てられた動作が実行される段階と、を含み、前記タッチ入力が前記レベルに留まる時間が所定の時間より小さい場合、前記レベルに対応されるアイコンが選択されない」という構成は、上記引用文献１−５には記載されておらず、本願優先日前において周知技術であるともいえない。
　したがって、他の相違点について判断するまでもなく、本願発明１は、当業者であっても引用発明、引用文献２−５に記載された技術的事項に基づいて容易に発明できたものであるとはいえない。
２．本願発明２−２２について
　本願発明２−２２も、「前記タッチ入力装置の動作を制御する段階は、前記タッチ入力の圧力又は面積が増加あるいは減少されるように調節されれば、前記調節された圧力又は面積が属するレベルを決定する段階と、前記少なくとも一つのアイコンのうち前記レベルに対応されるアイコンを選択する段階と、前記入力されたタッチが解除されれば、前記選択されたアイコンに割り当てられた動作が実行される段階と、を含み、前記タッチ入力が前記レベルに留まる時間が所定の時間より小さい場合、前記レベルに対応されるアイコンが選択されない」という、本願発明１の上記［相違点２］に係る構成と実質的に同一の構成を備えるものであるから、本願発明１と同様の理由により、当業者であっても、引用発明、引用文献２−５に記載された技術的事項に基づいて容易に発明をすることができたものとはいえない。
第７　原査定についての判断
　平成２９年９月２０日付けの補正により、補正後の請求項１−２２は、「前記タッチ入力装置の動作を制御する段階は、前記タッチ入力の圧力又は面積が増加あるいは減少されるように調節されれば、前記調節された圧力又は面積が属するレベルを決定する段階と、前記少なくとも一つのアイコンのうち前記レベルに対応されるアイコンを選択する段階と、前記入力されたタッチが解除されれば、前記選択されたアイコンに割り当てられた動作が実行される段階と、を含み、前記タッチ入力が前記レベルに留まる時間が所定の時間より小さい場合、前記レベルに対応されるアイコンが選択されない」という技術的事項を有するものとなった。当該技術的事項は、原査定における引用文献Ａ−Ｄには記載されておらず、本願優先日前における周知技術でもないので、本願発明１−２２は、当業者であっても、原査定における引用文献Ａ−Ｄに基づいて容易に発明をすることができたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。